(57)【特許請求の範囲】
【請求項１】
電子機器であって、
給電装置から無線で電力を受け取るための第１の受電手段と、
前記給電装置から無線で電力を受け取るための第２の受電手段に接続される電池パックと前記電子機器とが接続されている場合、前記第１の受電手段及び前記第２の受電手段を用いて前記給電装置から受け取ることが可能な電力が所定値以下であることが検出された後、前記第１の受電手段及び前記第２の受電手段を介して前記給電装置から供給される電力を用いて、前記電池パックに含まれる電池の充電を行うための処理を行う制御手段と
を有することを特徴とする電子機器。
【請求項２】
前記制御手段は、前記電池パックと前記電子機器とが接続されている場合、前記第１の受電手段及び前記第２の受電手段を用いて前記給電装置から受け取ることが可能な電力が前記所定値以下でないことが検出されたことに応じて、前記第１の受電手段及び前記第２の受電手段のいずれか一つを介して前記給電装置から供給される電力を用いて、前記電池の充電を行うための処理を行うことを特徴とする請求項１に記載の電子機器。
【請求項３】
前記制御手段は、前記電池パックと前記電子機器とが接続され、前記第１の受電手段及び前記第２の受電手段を用いて前記給電装置から受け取ることが可能な電力が前記所定値以下でないことが検出された場合、前記第１の受電手段に関する情報及び前記第２の受電手段に関する情報に基づいて選択された受電手段を介して前記給電装置から供給される電力を用いて、前記電池の充電を行うための処理を行うことを特徴とする請求項１または２に記載の電子機器。
【請求項４】
前記第１の受電手段に関する情報には、前記第１の受電手段が前記給電装置から受け取った電力を示す情報が含まれ、
前記第２の受電手段に関する情報には、前記第２の受電手段が前記給電装置から受け取った電力を示す情報を含まれることを特徴とする請求項３に記載の電子機器。
【請求項５】
前記制御手段は、前記第１の受電手段が前記給電装置から受け取った電力が前記第２の受電手段が前記給電装置から受け取った電力よりも大きい場合、前記第１の受電手段を介して前記給電装置から供給される電力を用いて、前記電池の充電を行うための処理を行うことを特徴とする請求項４に記載の電子機器。
【請求項６】
前記第１の受電手段に関する情報には、前記第１の受電手段が前記給電装置から受け取ることが可能な電力を示す情報が含まれ、
前記第２の受電手段に関する情報には、前記第２の受電手段が前記給電装置から受け取ることが可能な電力を示す情報が含まれることを特徴とする請求項３に記載の電子機器。
【請求項７】
前記制御手段は、前記第１の受電手段が前記給電装置から受け取ることが可能な電力が前記第２の受電手段が前記給電装置から受け取ることが可能な電力よりも大きい場合、前記第１の受電手段を介して前記給電装置から供給される電力を用いて、前記電池の充電を行うための処理を行うことを特徴とする請求項６に記載の電子機器。
【請求項８】
電子機器であって、
給電装置から無線で電力を受け取るための第１の受電手段と、
前記給電装置から無線で電力を受け取るための第２の受電手段に接続される電池パックと前記電子機器とが接続されている場合、前記第１の受電手段及び前記第２の受電手段を用いて前記給電装置から供給された電力が所定値以下であることが検出された後、前記第１の受電手段及び前記第２の受電手段を介して前記給電装置から供給される電力を用いて、前記電池パックに含まれる電池の充電を行うための処理を行う制御手段と
を有することを特徴とする電子機器。
【請求項９】
前記制御手段は、前記電池パックと前記電子機器とが接続されている場合、前記第１の受電手段及び前記第２の受電手段を用いて前記給電装置から供給された電力が前記所定値以下でないことが検出されたことに応じて、前記第１の受電手段及び前記第２の受電手段のいずれか一つを介して前記給電装置から供給される電力を用いて、前記電池の充電を行うための処理を行うことを特徴とする請求項８に記載の電子機器。
【請求項１０】
前記制御手段は、前記電池パックと前記電子機器とが接続され、前記第１の受電手段及び前記第２の受電手段を用いて前記給電装置から供給された電力が前記所定値以下でないことが検出された場合、前記第１の受電手段に関する情報及び前記第２の受電手段に関する情報に基づいて選択された受電手段を介して前記給電装置から供給される電力を用いて、前記電池の充電を行うための処理を行うことを特徴とする請求項８または９に記載の電子機器。
【請求項１１】
前記第１の受電手段に関する情報には、前記第１の受電手段が前記給電装置から受け取った電力を示す情報が含まれ、
前記第２の受電手段に関する情報には、前記第２の受電手段が前記給電装置から受け取った電力を示す情報を含まれることを特徴とする請求項１０に記載の電子機器。
【請求項１２】
前記制御手段は、前記第１の受電手段が前記給電装置から受け取った電力が前記第２の受電手段が前記給電装置から受け取った電力よりも大きい場合、前記第１の受電手段を介して前記給電装置から供給される電力を用いて、前記電池の充電を行うための処理を行うことを特徴とする請求項１１に記載の電子機器。
【請求項１３】
前記第１の受電手段に関する情報には、前記第１の受電手段が前記給電装置から受け取ることが可能な電力を示す情報が含まれ、
前記第２の受電手段に関する情報には、前記第２の受電手段が前記給電装置から受け取ることが可能な電力を示す情報が含まれることを特徴とする請求項１０に記載の電子機器。
【請求項１４】
前記制御手段は、前記第１の受電手段が前記給電装置から受け取ることが可能な電力が前記第２の受電手段が前記給電装置から受け取ることが可能な電力よりも大きい場合、前記第１の受電手段を介して前記給電装置から供給される電力を用いて、前記電池の充電を行うための処理を行うことを特徴とする請求項１３に記載の電子機器。
【請求項１５】
電子機器であって、
給電装置から無線で電力を受け取るための第１の受電手段と、
前記給電装置から無線で電力を受け取るための第２の受電手段に接続される電池パックと前記電子機器とが接続されている場合、所定値以下の電力が前記電池パックに含まれる電池に供給されるようにするために、前記第１の受電手段の受電能力に関する情報及び前記第２の受電手段の受電能力に関する情報に基づいて選択された前記第１の受電手段及び前記第２の受電手段の少なくとも一つを介して前記給電装置から供給される電力を用いて、電池の充電を行うための処理を行う制御手段と
を有することを特徴とする電子機器。
【請求項１６】
前記第１の受電手段の受電能力に関する情報には、前記第１の受電手段が前記給電装置から受け取った電力を示す情報が含まれ、
前記第２の受電手段の受電能力に関する情報には、前記第２の受電手段が前記給電装置から受け取った電力を示す情報を含まれることを特徴とする請求項１５に記載の電子機器。
【請求項１７】
前記制御手段は、前記第１の受電手段が前記給電装置から受け取った電力が前記第２の受電手段が前記給電装置から受け取った電力よりも大きい場合、前記第１の受電手段を介して前記給電装置から供給される電力を用いて、前記電池の充電を行うための処理を行うことを特徴とする請求項１６に記載の電子機器。
【請求項１８】
前記第１の受電手段の受電能力に関する情報には、前記第１の受電手段が前記給電装置から受け取ることが可能な電力を示す情報が含まれ、
前記第２の受電手段の受電能力に関する情報には、前記第２の受電手段が前記給電装置から受け取ることが可能な電力を示す情報が含まれることを特徴とする請求項１５に記載の電子機器。
【請求項１９】
前記制御手段は、前記第１の受電手段が前記給電装置から受け取ることが可能な電力が前記第２の受電手段が前記給電装置から受け取ることが可能な電力よりも大きい場合、前記第１の受電手段を介して前記給電装置から供給される電力を用いて、前記電池の充電を行うための処理を行うことを特徴とする請求項１８に記載の電子機器。
【請求項２０】
電子機器であって、
給電装置から無線で電力を受け取るための第１の受電手段と、
前記給電装置から無線で電力を受け取るための第２の受電手段に接続される電池パックと前記電子機器とが接続されている場合、前記第１の受電手段及び前記第２の受電手段を用いて前記給電装置から受け取ることが可能な電力が所定値以下でないことが検出された後、前記第１の受電手段及び前記第２の受電手段のいずれか一つを、前記給電装置から電力を受け取るために用いないようにするための処理を行う制御手段と
を有することを特徴とする電子機器。
【請求項２１】
前記制御手段は、前記電池パックと前記電子機器とが接続され、前記第１の受電手段及び前記第２の受電手段を用いて前記給電装置から受け取ることが可能な電力が前記所定値以下でないことが検出された場合、前記第１の受電手段に関する情報及び前記第２の受電手段に関する情報に基づいて選択された受電手段を、前記給電装置から電力を受け取るために用いないようにすることを特徴とする請求項２０に記載の電子機器。
【請求項２２】
前記第１の受電手段に関する情報には、前記第１の受電手段が前記給電装置から受け取った電力を示す情報が含まれ、
前記第２の受電手段に関する情報には、前記第２の受電手段が前記給電装置から受け取った電力を示す情報を含まれることを特徴とする請求項２１に記載の電子機器。
【請求項２３】
前記制御手段は、前記第１の受電手段が前記給電装置から受け取った電力が前記第２の受電手段が前記給電装置から受け取った電力よりも大きい場合、前記第２の受電手段を、前記給電装置から電力を受け取るために用いないようにすることを特徴とする請求項２２に記載の電子機器。
【請求項２４】
前記第１の受電手段に関する情報には、前記第１の受電手段が前記給電装置から受け取ることが可能な電力を示す情報が含まれ、
前記第２の受電手段に関する情報には、前記第２の受電手段が前記給電装置から受け取ることが可能な電力を示す情報が含まれることを特徴とする請求項２１に記載の電子機器。
【請求項２５】
前記制御手段は、前記第１の受電手段が前記給電装置から受け取ることが可能な電力が前記第２の受電手段が前記給電装置から受け取ることが可能な電力よりも大きい場合、前記第２の受電手段を、前記給電装置から電力を受け取るために用いないようにすることを特徴とする請求項２４に記載の電子機器。
【請求項２６】
電子機器であって、
給電装置から無線で電力を受け取るための第１の受電手段と、
前記給電装置から無線で電力を受け取るための第２の受電手段に接続される電池パックと前記電子機器とが接続されている場合、前記第１の受電手段及び前記第２の受電手段を用いて前記給電装置から供給された電力が所定値以下でないことが検出された後、前記第１の受電手段及び前記第２の受電手段のいずれか一つを、前記給電装置から電力を受け取るために用いないようにするための処理を行う制御手段と
を有することを特徴とする電子機器。
【請求項２７】
前記制御手段は、前記電池パックと前記電子機器とが接続され、前記第１の受電手段及び前記第２の受電手段を用いて前記給電装置から供給された電力が前記所定値以下でないことが検出された場合、前記第１の受電手段に関する情報及び前記第２の受電手段に関する情報に基づいて選択された受電手段を、前記給電装置から電力を受け取るために用いないようにすることを特徴とする請求項２６に記載の電子機器。
【請求項２８】
前記第１の受電手段に関する情報には、前記第１の受電手段が前記給電装置から受け取った電力を示す情報が含まれ、
前記第２の受電手段に関する情報には、前記第２の受電手段が前記給電装置から受け取った電力を示す情報を含まれることを特徴とする請求項２７に記載の電子機器。
【請求項２９】
前記制御手段は、前記第１の受電手段が前記給電装置から受け取った電力が前記第２の受電手段が前記給電装置から受け取った電力よりも大きい場合、前記第２の受電手段を、前記給電装置から電力を受け取るために用いないようにすることを特徴とする請求項２８に記載の電子機器。
【請求項３０】
前記第１の受電手段に関する情報には、前記第１の受電手段が前記給電装置から受け取ることが可能な電力を示す情報が含まれ、
前記第２の受電手段に関する情報には、前記第２の受電手段が前記給電装置から受け取ることが可能な電力を示す情報が含まれることを特徴とする請求項２７に記載の電子機器。
【請求項３１】
前記制御手段は、前記第１の受電手段が前記給電装置から受け取ることが可能な電力が前記第２の受電手段が前記給電装置から受け取ることが可能な電力よりも大きい場合、前記第２の受電手段を、前記給電装置から電力を受け取るために用いないようにすることを特徴とする請求項３０に記載の電子機器。
【請求項３２】
給電装置から無線で電力を受け取るための第１の受電手段を有する電子機器を制御する方法であって、
前記給電装置から無線で電力を受け取るための第２の受電手段に接続される電池パックと前記電子機器とが接続されているか否かを検出するステップと、
前記電池パックと前記電子機器とが接続されている場合、前記第１の受電手段及び前記第２の受電手段を用いて前記給電装置から受け取ることが可能な電力が所定値以下であることが検出された後、前記第１の受電手段及び前記第２の受電手段を介して前記給電装置から供給される電力を用いて、前記電池パックに含まれる電池の充電を行うための処理を行うステップと
を有することを特徴とする方法。
【請求項３３】
給電装置から無線で電力を受け取るための第１の受電手段を有する電子機器を制御する方法であって、
前記給電装置から無線で電力を受け取るための第２の受電手段に接続される電池パックと前記電子機器とが接続されているか否かを検出するステップと、
前記電池パックと前記電子機器とが接続されている場合、前記第１の受電手段及び前記第２の受電手段を用いて前記給電装置から供給された電力が所定値以下であることが検出された後、前記第１の受電手段及び前記第２の受電手段を介して前記給電装置から供給される電力を用いて、前記電池パックに含まれる電池の充電を行うための処理を行うステップと
を有することを特徴とする方法。
【請求項３４】
給電装置から無線で電力を受け取るための第１の受電手段を有する電子機器を制御する方法であって、
前記給電装置から無線で電力を受け取るための第２の受電手段に接続される電池パックと前記電子機器とが接続されているか否かを検出するステップと、
前記電池パックと前記電子機器とが接続されている場合、所定値以下の電力が前記電池パックに含まれる電池に供給されるようにするために、前記第１の受電手段の受電能力に関する情報及び前記第２の受電手段の受電能力に関する情報に基づいて選択された前記第１の受電手段及び前記第２の受電手段の少なくとも一つを介して前記給電装置から供給される電力を用いて、前記電池の充電を行うための処理を行うステップと
を有することを特徴とする方法。
【請求項３５】
給電装置から無線で電力を受け取るための第１の受電手段を有する電子機器を制御する方法であって、
前記給電装置から無線で電力を受け取るための第２の受電手段に接続される電池パックと前記電子機器とが接続されているか否かを検出するステップと、
前記電池パックと前記電子機器とが接続されている場合、前記第１の受電手段及び前記第２の受電手段を用いて前記給電装置から受け取ることが可能な電力が所定値以下でないことが検出された後、前記第１の受電手段及び前記第２の受電手段のいずれか一つを、前記給電装置から電力を受け取るために用いないようにするための処理を行うステップと
を有することを特徴とする方法。
【請求項３６】
給電装置から無線で電力を受け取るための第１の受電手段を有する電子機器を制御する方法であって、
前記給電装置から無線で電力を受け取るための第２の受電手段に接続される電池パックと前記電子機器とが接続されているか否かを検出するステップと、
前記電池パックと前記電子機器とが接続されている場合、前記第１の受電手段及び前記第２の受電手段を用いて前記給電装置から供給された電力が所定値以下でないことが検出された後、前記第１の受電手段及び前記第２の受電手段のいずれか一つを、前記給電装置から電力を受け取るために用いないようにするための処理を行うステップと
を有することを特徴とする方法。
【発明の詳細な説明】
【技術分野】
【０００１】
本発明は、無線で電力を受信する電子機器等に関する。
【背景技術】
【０００２】
近年、コネクタで接続することなく非接触で電力を送信するための一次コイルを持つ給電装置と、給電装置から供給される電力を非接触で受信するための二次コイルを持つ電子機器とを含む充電システムが知られている。このような充電システムにおいて、電子機器は、二次コイルによって受信した電力によって電子機器に装着された電池パック内の電池を充電する。
【０００３】
また、給電装置からの電力を非接触で受信するための二次コイルを持つ電池パックを、給電装置からの電力を非接触で受信する手段を持たない電子機器に装着させることで、電子機器において、非接触で電池を充電することが知られている（特許文献１）。
【先行技術文献】
【特許文献】
【０００４】
【特許文献１】特開平１０−０２１９６８公報
【発明の概要】
【発明が解決しようとする課題】
【０００５】
このような電池パックが、給電装置から供給される電力を非接触で受信する手段を持つ電子機器に装着された場合、電池パック内の電池の充電は、電池パックで受信された電力及び電子機器で受信された電力に応じて行われていた。このような場合において、電池の充電が行われる場合、過電流が電池に流れてしまうという問題や、過電圧が電池に供給されてしまうという問題が発生していた。
【０００６】
そこで、本発明は、電池に給電装置から供給される電力を受信する手段が複数接続される場合であっても、電池に過剰な電力が供給されないようにすることを目的とする。
【課題を解決するための手段】
【０００７】
本発明に係る電子機器は、電子機器であって、給電装置から無線で電力を受け取るための第１の受電手段と、前記給電装置から無線で電力を受け取るための第２の受電手段に接続される電池パックと前記電子機器とが接続されている場合、前記第１の受電手段及び前記第２の受電手段を用いて前記給電装置から受け取ることが可能な電力が所定値以下であることが検出された後、前記第１の受電手段及び前記第２の受電手段を介して前記給電装置から供給される電力を用いて、前記電池パックに含まれる電池の充電を行うための処理を行う制御手段とを有することを特徴とする。
本発明に係る電子機器は、電子機器であって、給電装置から無線で電力を受け取るための第１の受電手段と、前記給電装置から無線で電力を受け取るための第２の受電手段に接続される電池パックと前記電子機器とが接続されている場合、前記第１の受電手段及び前記第２の受電手段を用いて前記給電装置から供給された電力が所定値以下であることが検出された後、前記第１の受電手段及び前記第２の受電手段を介して前記給電装置から供給される電力を用いて、前記電池パックに含まれる電池の充電を行うための処理を行う制御手段とを有することを特徴とする。
【０００８】
また、本発明に係る電子機器は、電子機器であって、給電装置から無線で電力を受け取るための第１の受電手段と、前記給電装置から無線で電力を受け取るための第２の受電手段に接続される電池パックと前記電子機器とが接続されている場合、所定値以下の電力が前記電池パックに含まれる電池に供給されるようにするために、前記第１の受電手段の受電能力に関する情報及び前記第２の受電手段の受電能力に関する情報に基づいて選択された前記第１の受電手段及び前記第２の受電手段の少なくとも一つを介して前記給電装置から供給される電力を用いて、電池の充電を行うための処理を行う制御手段とを有することを特徴とする。
また、本発明に係る電子機器は、電子機器であって、給電装置から無線で電力を受け取るための第１の受電手段と、前記給電装置から無線で電力を受け取るための第２の受電手段に接続される電池パックと前記電子機器とが接続されている場合、前記第１の受電手段及び前記第２の受電手段を用いて前記給電装置から受け取ることが可能な電力が所定値以下でないことが検出された後、前記第１の受電手段及び前記第２の受電手段のいずれか一つを、前記給電装置から電力を受け取るために用いないようにするための処理を行う制御手段とを有することを特徴とする。
また、本発明に係る電子機器は、電子機器であって、給電装置から無線で電力を受け取るための第１の受電手段と、前記給電装置から無線で電力を受け取るための第２の受電手段に接続される電池パックと前記電子機器とが接続されている場合、前記第１の受電手段及び前記第２の受電手段を用いて前記給電装置から供給された電力が所定値以下でないことが検出された後、前記第１の受電手段及び前記第２の受電手段のいずれか一つを、前記給電装置から電力を受け取るために用いないようにするための処理を行う制御手段とを有することを特徴とする。
【発明の効果】
【０００９】
本発明によれば、電池に給電装置から供給される電力を受信する手段が複数接続される場合であっても、電池に過剰な電力が供給されないようにすることができる。
【図面の簡単な説明】
【００１０】
【図１】実施例１における充電システムの一例を示した図である。
【図２】実施例１における給電装置のブロック図の一例を示す図である。
【図３】実施例１における電子機器と電池パックとのブロック図の一例を示す図である。
【図４】実施例１における充電処理の一例を示すフローチャートである。
【図５】実施例１における選択処理の一例を示すフローチャートである。
【図６】実施例１における検出処理の一例を示すフローチャートである。
【図７】実施例１における給電処理の一例を示すフローチャートである。
【発明を実施するための形態】
【００１１】
［実施例１］
以下、本発明の実施例１について、図面を参照して詳細に説明する。実施例１に係る充電システムは、図１に示すように給電装置１００と、電子機器２００と、電池パック３００とを有する。図１では、電池パック３００が装着されている電子機器２００が給電装置１００の上に置かれている。このような充電システムにおいて、給電装置１００は、給電アンテナ１０８を介して電子機器２００に非接触で電力を送信する。また、給電装置１００と電子機器２００との距離が所定の範囲内に存在する場合において、受電アンテナ２０１を有する電子機器２００は、受電アンテナ２０１を介して給電装置１００から送信される電力を非接触で受信する。さらに、電子機器２００は、受電アンテナ２０１を介して給電装置１００から受信した電力によって、電子機器２００に装着された電池パック３００内の電池３１１の充電を行う。また、給電装置１００と電子機器２００との距離が所定の範囲内に存在しない場合、電子機器２００は、受電アンテナ２０１を有している場合であっても、給電装置１００から電力を受信することができない。
【００１２】
また、給電装置１００と電池パック３００との距離が所定の範囲内に存在する場合において、受電アンテナ３０１を有する電池パック３００は、給電装置１００から送信される電力を受電アンテナ３０１を介して非接触で受信する。さらに、受電アンテナ３０１を有する電池パック３００は、受電アンテナ２０１を介すことなく非接触で給電装置１００から受信した電力によって電池３１１の充電を行うことができる。また、給電装置１００と電池パック３００との距離が所定の範囲内に存在しない場合、電池パック３００は、受電アンテナ２０１を有していたとしても、給電装置１００から電力を受信することができない。また、電池パック３００が受電アンテナ３０１を有していない場合、電池パック３００は、給電装置１００から送信される電力を受信できないので、給電装置１００から電子機器２００が受信した電力に応じて電池パック３００に含まれている電池３１１を充電する。なお、所定の範囲とは、給電装置１００と通信を行うことができる範囲である。
【００１３】
なお、給電装置１００は複数の電子機器に対しても、並行して電力を非接触で送信できるものとする。
【００１４】
電子機器２００は、電池３１１から供給される電力によって動作する装置であれば、デジタルスチルカメラ、カメラ付き携帯電話、デジタルビデオカメラ等の撮像装置であってもよく、音声データや映像データの再生を行うプレイヤ等の再生装置であってもよい。また、電子機器２００は、電池３１１から供給される電力によって駆動する車のような移動装置であってもよい。
【００１５】
給電装置１００は、図２に示すように、発振器１０１、電力送信回路１０２、整合回路１０３、変復調回路１０４、ＣＰＵ１０５、ＲＯＭ１０６、ＲＡＭ１０７、給電アンテナ１０８及び変換部１０９を有する。
【００１６】
発振器１０１は、不図示のＡＣ電源から変換部１０９を介して供給される直流電力をＣＰＵ１０５で決定された目標値に対応する電力に変換して電子機器２００に供給するために用いられる高い周波数を発振する。なお、発振器１０１は、水晶振動子等を用いる。
【００１７】
電力送信回路１０２は、発振器１０１によって発振される周波数に応じて、給電アンテナ１０８を介して電子機器２００及び電池パック３００に供給するための電力を発生させる。電力送信回路１０２は、ＦＥＴ等を有し、発振器１０１によって発振される周波数に応じて、ＦＥＴのソース・ドレインの端子間に流れる電流を制御することにより、電子機器２００及び電池パック３００に供給するための電力を発生させる。電力送信回路１０２で発生した電力は、整合回路１０３に供給される。
【００１８】
整合回路１０３は、発振器１０１によって発振される周波数によって、給電アンテナ１０８と、受電アンテナ２０１及び受電アンテナ３０１のいずれかとの間で共振を行うための共振回路である。整合回路１０３は、可変コンデンサ、可変インピーダンス及び可変抵抗等を有し、電力送信回路１０２と給電アンテナ１０８とのインピーダンス整合を行う。ＣＰＵ１０５は、発振器１０１によって発振される周波数を、共振周波数ｆにするために、整合回路１０３の可変コンデンサ、可変インピーダンス及び可変抵抗の値を制御する。なお、共振周波数ｆは、給電アンテナ１０８が、受電アンテナ２０１及び受電アンテナ３０１の少なくともいずれかと共振するための周波数である。
さらに、整合回路１０３は、給電アンテナ１０８に流れる電流及び給電アンテナ１０８に供給される電圧の変化を検出することもできる。
【００１９】
変復調回路１０４は、電子機器２００及び電池パック３００を制御するためのコマンドを電子機器２００及び電池パック３００に送信するために、予め定められたプロトコルに応じて、電力送信回路１０２によって発生された電力の変調を行う。予め定められたプロトコルとは、例えば、ＲＦＩＤ（Ｒａｄｉｏ  Ｆｒｅｑｕｅｎｃｙ  ＩＤｅｎｔｉｆｉｃａｔｉｏｎ）に用いられるＩＳＯ１４４４３やＩＳＯ１５６９３等の通信プロトコルである。電力送信回路１０２によって発生された電力は、変復調回路１０４によって、電子機器２００及び電池パック３００と通信を行うためのコマンドとして、パルス信号に変換され、電子機器２００及び電池パック３００に送信される。
【００２０】
電子機器２００に送信されたパルス信号は、電子機器２００により解析されることによって、「１」の情報と、「０」の情報とを含むビットデータとして認識される。なお、コマンドには、宛先を識別するための識別情報及びコマンドによって指示される動作を示すコマンドコード等が含まれる。なお、制御部１０５は、コマンドに含まれる識別情報を変更するように変復調回路１０４を制御することによって、電子機器２００だけにコマンドを送信するようにしたり、電池パック３００だけにコマンドを送信するようにすることもできる。
【００２１】
変復調回路１０４は、電力送信回路１０２によって発生された電力を、振幅変位を利用したＡＳＫ（Ａｍｐｌｉｔｕｄｅ  Ｓｈｉｆｔ  Ｋｅｙｉｎｇ）変調によって、パルス信号に変換する。ＡＳＫ変調は、振幅変位を利用した変調であり、ＩＣカードと、ＩＣカードリーダとの通信等で用いられる。変復調回路１０４は、変復調回路１０４に含まれるアナログ乗算器や負荷抵抗をスイッチングさせることにより電力送信回路１０２によって発生された電力の振幅を変更することによって、パルス信号に変更する。さらに、変復調回路１０４は、所定の符合化方式による符合化回路を有する。
【００２２】
また、変復調回路１０４は、電子機器２００や電池パック３００から送信される情報及びコマンドを復調することにより受信する。給電装置１００から通信を行うための電力が電子機器２００に供給されている場合、電子機器２００は、給電装置１００から供給されている電力に対して装置内の負荷を変化させる。このことにより、電子機器２００は、負荷変調方式に応じた所定の情報やコマンド等を給電装置１００に送信する。そのため、変復調回路１０４は、電子機器２００から送信された所定の情報及びコマンドを受信する場合、整合回路１０３で検出された給電アンテナ１０８に流れる電流の変化に応じて所定の情報やコマンドを復調し、ＣＰＵ１０５に供給する。
【００２３】
なお、負荷変調方式に応じた情報やコマンドを電池パック３００から受信する場合も、変復調回路１０４は電子機器２００から負荷変調方式に応じた情報やコマンドを受信する場合と同様な動作を行うものとする。
【００２４】
ＣＰＵ１０５は、不図示のＡＣ電源と給電装置１００とが接続されている場合、不図示のＡＣ電源から変換部１０９を介して供給される直流電力によって、給電装置１００の各部を制御する。また、ＣＰＵ１０５は、ＲＯＭ１０６に記憶されているコンピュータプログラムを実行することによって、給電装置１００の各部の動作を制御する。ＣＰＵ１０５は電力送信回路１０２を制御することにより電子機器２００及び電池パック３００に供給する電力を制御する。また、ＣＰＵ１０５は、変復調回路１０４を制御することにより、コマンドを電子機器２００に送信する。さらに、ＣＰＵ１０５は、整合回路１０３を制御することにより、電子機器２００及び電池パック３００と共振するように給電装置１００を制御する。
ＲＯＭ１０６は、給電装置１００の各部の動作を制御するコンピュータプログラム及び各部の動作に関するパラメータ等の情報を記憶する。
ＲＡＭ１０７は、書き換え可能な不揮発性メモリであり、一時的に給電装置１００の各部の動作を制御するコンピュータプログラム、各部の動作に関するパラメータ等の情報、変復調回路１０４によって電子機器２００から受信された情報等を記録する。
【００２５】
給電アンテナ１０８は、電子機器２００に電力送信回路１０２により発生された電力を電子機器２００に送信するためのアンテナである。給電装置１００は、給電アンテナ１０８を介して電子機器２００及び電池パック３００に電力を送信したり、コマンドを送信する。また、給電装置１００は、給電アンテナ１０８を介して電子機器２００及び電池パック３００からコマンド及び応答信号を受信する。
変換部１０９は、不図示のＡＣ電源が接続される場合、不図示のＡＣ電源から供給される交流電力を直流電力に変換し、変換した直流電力を給電装置１００全体に供給する。
【００２６】
次に、電子機器２００について説明を行う。
電子機器２００の一例として、デジタルスチルカメラを挙げ、以下、図３を参照し、説明を行う。電子機器２００は、受電アンテナ２０１、整合回路２０２、整流平滑回路２０３、変復調回路２０４、ＣＰＵ２０５、ＲＯＭ２０６、ＲＡＭ２０７、レギュレータ２０８、充電制御部２０９、電池インターフェース２１０、撮像部２１１及び切替部２１２を有する。
【００２７】
受電アンテナ２０１は、給電装置１００から供給された電力を受信するためのアンテナである。電子機器２００は、受電アンテナ２０１を介して、給電装置１００から電力を受信したり、コマンドを受信する。また、電子機器２００は、受電アンテナ２０１を介して電子機器２００からコマンド及び応答信号を送信する。
【００２８】
整合回路２０２は、給電装置１００の共振周波数ｆと同じ周波数で受電アンテナ２０１が共振するように、インピーダンスの整合を行うための共振回路である。整合回路２０２は、可変コンデンサ、可変インピーダンス及び可変抵抗等を有する。ＣＰＵ２０５は、給電装置１００の共振周波数ｆと同じ周波数で受電アンテナ２０１が共振するように、整合回路２０２の可変コンデンサ、可変インピーダンス及び可変抵抗の値を制御する。
【００２９】
また、整合回路２０２は、切替部２１２を介して受電アンテナ２０１が受信した電力を受電アンテナ２０１から供給され、供給された電力を整流平滑回路２０３に供給する。
整流平滑回路２０３は、受電アンテナ２０１によって受信された電力からコマンド及びノイズを取り除き、電池３１１を充電するための直流電力を生成する。さらに、整流平滑回路２０３は、生成した直流電力をレギュレータ２０８に供給する。また、整流平滑回路２０３は、受電アンテナ２０１によって受信された電力から取り除いたコマンドを変復調回路２０４に供給する。なお、整流平滑回路２０３は、整流用のダイオードを有し、全波整流及び半波整流のいずれか一つにより直流電力を生成する。
変復調回路２０４は、整流平滑回路２０３から供給されたコマンドを給電装置１００と予め決められた通信プロトコルに応じて解析し、コマンドの解析結果をＣＰＵ２０５に供給する。
【００３０】
給電装置１００から電子機器２００に対して通知のための電力が供給されている場合、ＣＰＵ２０５は、コマンドや所定の情報を給電装置１００に送信するために変復調回路２０４に含まれる負荷を変動させるように変復調回路２０４を制御する。変復調回路２０４に含まれる負荷が変化する場合、給電アンテナ１０８に流れる電流が変化するので、給電装置１００は、給電アンテナ１０８に流れる電流の変化を検出することによって、電子機器２００から送信される所定の情報やコマンドを受信する。
【００３１】
ＣＰＵ２０５は、変復調回路２０４から供給された解析結果に応じて受信したコマンドがどのようなコマンドであるかを判定し、受信したコマンドに対応するコマンドコードによって指定されている動作を行うように電子機器２００全体を制御する。
【００３２】
また、ＣＰＵ２０５は、ＲＯＭ２０６に記憶されているコンピュータプログラムを実行することによって、電子機器２００の各部の動作を制御する。
【００３３】
ＲＯＭ２０６は、電子機器２００の各部の動作を制御するコンピュータプログラム及び各部の動作に関するパラメータ等の情報を記憶する。また、ＲＯＭ２０６には、電子機器２００の識別情報及び電子機器２００の受電情報が記録される。電子機器２００の識別情報には、例えば、電子機器２００の識別ＩＤ、製造者名、装置名、製造年月日等が含まれる。電子機器２００の受電情報には、例えば、受電アンテナ２０１が受け付けられる最大の電力を示す情報、電池３１１の充電を行うために電池３１１に流す電流の最大の閾値、及び電池３１１の充電を行うために電池３１１に供給する電圧の最大の閾値が含まれる。電子機器２００の受電情報に含まれる電池３１１の充電を行うために電池３１１に流す電流の最大の閾値とは、受電アンテナ２０１が受信した電力に応じて電池３１１の充電を行う場合に電池３１１に流れる電流の閾値である。電子機器２００の受電情報に含まれる電池３１１の充電を行うために電池３１１に供給する電圧の最大の閾値とは、受電アンテナ２０１が受信した電力に応じて電池３１１の充電を行う場合に電池３１１に供給される電圧の閾値である。さらに、電子機器２００の受電情報には、給電装置１００から供給される電力に対してどれくらいの電力を受電アンテナ２０１によって受信することができるかを示す効率情報及び受電アンテナ２０１の面積を示す面積情報が含まれていても良い。
【００３４】
ＲＡＭ２０７は、書き換え可能な不揮発性メモリであり、一時的に電子機器２００の各部の動作を制御するコンピュータプログラム、各部の動作に関するパラメータ等の情報、給電装置１００から受信した情報及び電池パック３００から取得した情報等を記録する。
【００３５】
レギュレータ２０８は、整流平滑回路２０３から供給された直流電力の電圧がＣＰＵ２０５によって設定された電圧値になるように制御する。なお、レギュレータ２０８は、スイッチングレギュレータであっても、リニアレギュレータであっても良いものとする。なお、整流平滑回路２０３からレギュレータ２０８を介してＣＰＵ２０５によって設定された電圧値になるように制御された直流電力は、充電制御部２０９に供給される。また、レギュレータ２０８は、電池３１１から供給される電力の電圧がＣＰＵ２０５によって設定された電圧値になるように制御する。電池３１１からレギュレータ２０８を介してＣＰＵ２０５によって設定された電圧値になるように制御された直流電力は、ＣＰＵ２０５、ＲＯＭ２０６、ＲＡＭ２０７及び撮像部２１１等に供給される。
【００３６】
電子機器２００に電池パック３００が装着されている場合に、レギュレータ２０８から充電制御部２０９が直流電力を供給された場合、充電制御部２０９は、電池３１１の充電を行う。また、充電制御部２０９は、電子機器２００に装着されている電池パック３００の電池３１１の残りの容量を示す情報を検出し、ＣＰＵ２０５に供給する。ＣＰＵ２０５は、充電制御部２０９から供給された電池３１１の残りの容量を示す情報（以下「残量情報」と呼ぶ）をＲＡＭ２０７に記録する。また、充電制御部２０９は、電池３１１の充電を行う場合、電池３１１に流れる電流及び電池３１１に供給される電圧を検出し、ＣＰＵ２０５に供給する。ＣＰＵ２０５は、充電制御部２０９から供給された電池３１１に流れる電流を示す情報及び電池３１１に供給される電圧を示す情報をＲＡＭ２０７に記録する。なお、充電制御部２０９は、電池パック３００で検出された電池３１１の残量情報を取得することによって、電池３１１の残量情報を検出しても良いし、電池３１１に流れる電流や電池３１１に供給される電圧から電池３１１の残量情報を算出しても良い。
【００３７】
電池インターフェース２１０は、電子機器２００に着脱可能な電池パック３００と通信を行うインターフェースである。なお、電池インターフェース２１０は電池パック３００と有線による通信を行っても、無線による通信を行ってもよいものとする。
電池インターフェース２１０は、ＣＰＵ２０５からの指示に応じて、給電装置１００から受信した電力を電池パック３００に供給したり、電池パック３００から供給される電力をレギュレータ２０８を介して、撮像部２１１に供給する。また、電池インターフェース２１０は、電池パック３００を制御するための指示がＣＰＵ２０５によって行われた場合、電池パック３００を制御するための指示をＣＰＵ３０５に供給する。さらに、電池インターフェース２１０は、電子機器２００を制御するための指示がＣＰＵ３０５によって行われた場合、電子機器２００を制御するための指示をＣＰＵ２０５に供給する。
【００３８】
撮像部２１１は、被写体の光学から映像データを生成するための撮像素子、撮像素子で生成された映像データに対して画像処理を行う画像処理回路、映像データを圧縮したり、圧縮された映像データを伸長したりする圧縮伸長回路等を有する。撮像部２１１は、被写体から映像データの撮影を行い、撮影の結果により得られた静止画像や動画像等の映像データを不図示の記録媒体に記録する。不図示の記録媒体は、電子機器２００に着脱可能な外部記録媒体であってもよく、電子機器２００に内蔵されている記録媒体であってもよい。
【００３９】
切替部２１２は、整合回路２０２と整流平滑回路２０３とを接続するためのスイッチである。ＣＰＵ２０５は、切替部２１２をオンにすることによって、整合回路２０２と整流平滑回路２０３とを接続するように制御し、切替部２１２をオフにすることによって、整合回路２０２と整流平滑回路２０３とを切断するように制御する。切替部２１２は、リレースイッチでもよく、電子機器２００の整合回路２０２にあらかじめ含まれているスイッチを利用するものであってもよい。切替部２１２がオンである場合、電子機器２００は、給電装置１００から送信された電力及びコマンドを受電アンテナ２０１を介して受信することができる。さらに、この場合、電子機器２００は、受電アンテナ２０１を介してコマンドを給電装置１００に送信することもできる。
切替部２１２がオフである場合、電子機器２００は、給電装置１００から送信された電力を受信することはできないが、給電装置１００から送信されたコマンドを受電アンテナ２０１を介して受信することやコマンドを給電装置１００に送信することができる。
【００４０】
電池パック３００は、図３のように、受電アンテナ３０１、整合回路３０２、整流平滑回路３０３、変復調回路３０４、ＣＰＵ３０５、ＲＯＭ３０６、ＲＡＭ３０７、レギュレータ３０８、充電制御部３０９、電池インターフェース３１０及び電池３１１を有する。なお、電池パック３００は、電子機器２００に対して着脱可能である。電池パック３００は電子機器２００に装着されている場合、電子機器２００の電池インターフェース２１０と電池パック３００の電池インターフェース３１０とは接続される。
電池パック３００の受電アンテナ３０１（第２のアンテナ）、整合回路３０２、整流平滑回路３０３及び変復調回路３０４は、電子機器２００の受電アンテナ２０１、整合回路２０２、整流平滑回路２０３及び変復調回路２０４と同様な機能を持ち、同様に動作する。
【００４１】
電池パック３００のＣＰＵ３０５、ＲＯＭ３０６、ＲＡＭ３０７、レギュレータ３０８及び充電制御部３０９は、電子機器２００のＣＰＵ２０５、ＲＯＭ２０６、ＲＡＭ２０７、レギュレータ２０８及び充電制御部２０９と同様な機能を持ち、同様な動作を行う。
ＣＰＵ３０５は、変復調回路３０４から供給された解析結果に応じて受信したコマンドがどのようなコマンドであるかを判定し、受信したコマンドに対応するコマンドコードで指定されている動作を行うように電池パック３００を制御する。また、ＣＰＵ３０５は、ＲＯＭ３０６に記憶されているコンピュータプログラムを実行することによって、電池パック３００の各部の動作を制御する。
ＣＰＵ３０５は、電池インターフェース３１０を介して電池パック３００を制御するための指示が電子機器２００から供給された場合、電池パック３００を制御するための指示を解析し、その解析結果に応じて電池パック３００全体を制御する。
【００４２】
ＲＯＭ３０６は、電池パック３００の各部の動作を制御するコンピュータプログラム及び各部の動作に関するパラメータ等の情報を記憶する。また、ＲＯＭ３０６には、電池パック３００の識別情報、電池パック３００の受電情報、電池３１１の充電情報及び受電アンテナ３０１を有することを示す情報が記録される。電池パック３００の識別情報には、例えば、電池パック３００の識別ＩＤ、製造者名、装置名、製造年月日等が含まれる。電池パック３００の受電情報には、例えば、受電アンテナ２０１が受け付けられる最大の電力を示す情報、電池３１１の充電を行うために電池３１１に流す電流の最大の閾値、及び電池３１１の充電を行うために電池３１１に供給する電圧の最大の閾値が含まれる。さらに、電池パック３００の受電情報には、給電装置１００から供給される電力に対してどれくらいの電力を受電アンテナ３０１によって受信することができるかを示す効率情報及び受電アンテナ３０１の面積を示す面積情報が含まれていても良い。電池パック３００の受電情報に含まれる電池３１１の充電を行うために電池３１１に流す電流の最大の閾値とは、受電アンテナ３０１が受信した電力に応じて電池３１１の充電を行う場合に電池３１１に流れる電流の閾値である。電子パック３００の受電情報に含まれる電池３１１の充電を行うために電池３１１に供給する電圧の最大の閾値とは、受電アンテナ３０１が受信した電力に応じて電池３１１の充電を行う場合に電池３１１に供給される電圧の閾値である。電池３１１の充電情報には、電池３１１を充電するために許容されている電流の閾値を示す許容電流値及び電池３１１を充電するために許容されている電圧の閾値を示す許容電圧値が含まれている。
【００４３】
電池インターフェース３１０は、ＣＰＵ３０５からの指示に応じて、給電装置１００から受電アンテナ３０１を介して受信した電力を電池３１１に供給したり、電池３１１から供給される電力を電子機器２００に供給する。また、電池インターフェース３１０は、電池パック３００を制御するための指示が電子機器２００によって行われた場合、電池パック３００を制御するための指示をＣＰＵ３０５に供給する。さらに、電池インターフェース３１０は、電子機器２００を制御するための指示がＣＰＵ３０５によって行われた場合、電子機器２００を制御するための指示を電子機器２００に供給する。
電池３１１は、電子機器２００に着脱可能な電池である。また、電池３１１は、充電可能な二次電池であり、例えばリチウムイオン電池等である。
【００４４】
切替部３１２は、整合回路３０２と整流平滑回路３０３とを接続するためのスイッチである。ＣＰＵ３０５は、切替部３１２をオンにすることによって、整合回路３０２と整流平滑回路３０３とを接続するように制御し、切替部３１２をオフにすることによって、整合回路３０２と整流平滑回路３０３とを切断するように制御する。切替部３１２は、リレースイッチでもよく、電池パック３００の整合回路３０２にあらかじめ含まれているスイッチを利用するものであってもよい。切替部３１２がオンである場合、電池パック３００は、給電装置１００から送信された電力及びコマンドを受電アンテナ３０１を介して受信することができる。切替部３１２がオフである場合、電池パック３００は、給電装置１００から送信された電力を受信することはできないが、給電装置１００から送信されたコマンドを受電アンテナ３０１を介して受信することができる。
【００４５】
なお、実施例１に係る充電システムは、給電装置１００が電磁誘導によって電力を電子機器２００及び電池パック３００に送信し、電子機器２００及び電池パック３００が電磁誘導によって給電装置１００から電力を受信するシステムであってもよい。また、給電装置１００が磁界共鳴によって電力を電子機器２００及び電池パック３００に送信し、電子機器２００及び電池パック３００が磁界共鳴によって給電装置１００から電力を受信するシステムであってもよい。また、給電装置１００が電界共鳴によって電力を電子機器２００及び電池パック３００に送信し、電子機器２００及び電池パック３００が電界共鳴によって給電装置１００から電力を受信するシステムであってもよい。
【００４６】
なお、給電アンテナ１０８、受電アンテナ２０１及び受電アンテナ３０１は、ヘリカルアンテナであっても、ループアンテナであってもよく、メアンダラインアンテナ等の平面状のアンテナであってもよいものとする。
【００４７】
また、給電アンテナ１０８の代わりに電極を給電装置１００に設け、受電アンテナ２０１の代わりに電極を電子機器２００に設けることにより、給電装置１００が非接触で電力を電子機器２００に供給するシステムにおいても、本発明を適用することができる。
また、給電アンテナ１０８の代わりに電極を給電装置１００に設け、受電アンテナ３０１の代わりに電極を電子機器２００に設けることにより、給電装置１００が非接触で電力を電子機器２００に供給するシステムにおいても、本発明を適用することができる。
また、給電装置１００が電界結合によって非接触で電子機器２００及び電池パック３００に電力を供給するシステムにおいても、本発明を適用できるものとする。
また、実施例１において、給電装置１００は、電子機器２００及び電池パック３００に対して非接触で電力を送信し、電子機器２００及び電池パック３００は、給電装置１００から非接触で電力を受信するものとした。しかし、「非接触」を「無線」や「無接点」と言い換えてもよいものとする。
【００４８】
（充電処理）
実施例１において、電子機器２００によって行われる充電処理について、図４のフローチャートを用いて説明する。充電処理は、ＣＰＵ２０５がＲＯＭ２０６に記憶されているコンピュータプログラムを実行することにより実現することができる。
【００４９】
図４に示す充電処理は、電子機器２００の動作モードが充電を行うためのモードになった場合に電子機器２００で行われる処理である。なお、充電処理がＣＰＵ２０５によって行われる場合、切替部２１２はオンであるものとし、給電装置１００から通信を行うための所定の電力が電子機器２００に対して供給されているものとする。
【００５０】
Ｓ４０１において、ＣＰＵ２０５は、電子機器２００に電池パック３００が装着されているか否かを判定する。ＣＰＵ２０５は、電子機器２００の電池インターフェース２１０と電池パック３００の電池インターフェース３１０とが接続されているか否かによって電子機器２００に電池パック３００が装着されているか否かを判定する。電子機器２００の電池インターフェース２１０と電池パック３００の電池インターフェース３１０とが接続されていない場合、ＣＰＵ２０５によって、電子機器２００に電池パック３００が装着されていないと判定される（Ｓ４０１でＮｏ）。この場合（Ｓ４０１でＮｏ）、本フローチャートはＳ４０１からＳ４０１に戻る。電子機器２００の電池インターフェース２１０と電池パック３００の電池インターフェース３１０とが接続されている場合、ＣＰＵ２０５によって、電子機器２００に電池パック３００が装着されていると判定される（Ｓ４０１でＹｅｓ）。この場合（Ｓ４０１でＹｅｓ）、本フローチャートはＳ４０１からＳ４０２に進む。
【００５１】
Ｓ４０２において、ＣＰＵ２０５は、電池３１１が満充電であるか否かを判定する。このとき、ＣＰＵ２０５は、電池パック３００の識別情報、電池３１１の残量情報、電池３１１の充電情報及び電池パック３００が受電アンテナ３０１を有しているか否かを示す情報を電池パック３００に要求するための指示を電池パック３００に対して行う。電池パック３００の識別情報、電池３１１の残量情報、電池３１１の充電情報及び電池パック３００が受電アンテナ３０１を有しているか否かを示す情報を電池パック３００に要求するための指示を以下「第１の指示」と呼ぶ。電池パック３００が電子機器２００からの第１の指示を受け付けた場合、ＣＰＵ３０５は、ＲＯＭ３０６に記録されている識別情報、電池３１１の充電情報及び電池３１１が受電アンテナ３０１を有しているか否かを示す情報を読み出す。さらに、この場合、ＣＰＵ３０５は充電制御部３０９に対して電池３１１の残量情報を要求する。さらに、ＣＰＵ３０５は、第１の指示に対して、電池インターフェース３１０を介して電池３１１の残量情報、電池３１１の識別情報、電池３１１の充電情報、及び電池３１１が受電アンテナ３０１を有しているか否かを示す情報を電子機器２００に対して供給する。ＣＰＵ２０５は、これらの情報を受け付けた場合、電池３１１の電池３１１の残量情報、電池３１１の識別情報、電池３１１の充電情報及び電池３１１が受電アンテナ３０１を有しているか否かを示す情報をＲＡＭ２０７に記録する。
【００５２】
ＣＰＵ２０５は、ＲＡＭ２０７に記録された電池３１１の残量情報に応じて電池３１１が満充電であるか否かを判定する。ＣＰＵ２０５によって、電池３１１が満充電であると判定された場合（Ｓ４０２でＹｅｓ）、本フローチャートは、終了する。ＣＰＵ２０５によって、電池３１１が満充電でないと判定された場合（Ｓ４０２でＮｏ）、本フローチャートは、Ｓ４０２からＳ４０３に進む。
【００５３】
Ｓ４０３において、ＣＰＵ２０５は、ＲＯＭ２０６に記録されている電子機器２００の識別情報及びＲＡＭ２０７に記録されている電池パック３００の識別情報を給電装置１００に送信するように整合回路２０２及び変復調回路２０４を制御する。ＲＯＭ２０６に記録されている電子機器２００の識別情報及び電池パック３００の識別情報が給電装置１００に送信された場合、本フローチャートはＳ４０３からＳ４０４に進む。なお、Ｓ４０３において、ＣＰＵ２０５は、電子機器２００の識別情報を給電装置１００に送信するように整合回路２０２及び変復調回路２０４を制御し、電池パック３００の識別情報を給電装置１００に送信するための指示を電池パック３００に行ってもよい。この場合、この指示を受け付けたＣＰＵ３０５は、ＲＯＭ３０６に記録されている電池パック３００の識別情報を受電アンテナ３０１を介して給電装置１００に送信するために整合回路３０２及び変復調回路３０４を制御するものとする。
【００５４】
Ｓ４０４において、ＣＰＵ２０５は、電池パック３００が受電アンテナ３０１を有しているか否かを判定する。電池パック３００が受電アンテナ３０１を有しているか否かの判定は、ＣＰＵ２０５が電池パック３００から取得した電池パック３００が受電アンテナ３０１を有しているか否かを示す情報により判定してもよい。また、ＣＰＵ２０５が電池パック３００に受電アンテナ３０１を有しているか否かを問い合わせることにより判定してもよい。なお、Ｓ４０４において行われる判定を「第１の判定」と呼ぶ。
【００５５】
ＣＰＵ２０５によって、電池パック３００が受電アンテナ３０１を有していると判定された場合（Ｓ４０４でＹｅｓ）、本フローチャートは、Ｓ４０４からＳ４０５に進む。ＣＰＵ２０５によって、電池パック３００が受電アンテナ３０１を有していないと判定された場合（Ｓ４０４でＮｏ）、本フローチャートは、Ｓ４０４からＳ４１０に進む。
【００５６】
Ｓ４０５において、ＣＰＵ２０５は、切替部２１２をオフにするように制御し、切替部３１２をオフにするための指示を電池パック３００に対して行う。この場合、本フローチャートはＳ４０５からＳ４０６に進む。
【００５７】
Ｓ４０６において、ＣＰＵ２０５は、受電アンテナ２０１と受電アンテナ３０１との少なくとも一つを選択するための選択処理を行う。選択処理は、受電アンテナ２０１と受電アンテナ３０１との少なくとも一つから供給される電力に応じて充電を行うための処理である。ＣＰＵ２０５によって、選択処理が行われた場合、ＣＰＵ２０５は、選択処理によって選択された受電アンテナから供給される電力に応じて電池３１１の充電を行う。選択処理がＣＰＵ２０５によって行われた場合、本フローチャートはＳ４０６からＳ４０７に進む。なお、選択処理については、後述する。
【００５８】
Ｓ４０７において、ＣＰＵ２０５は、受電情報を給電装置１００に送信するように制御する。Ｓ４０６における選択処理によって、受電アンテナ２０１が選択された場合、ＣＰＵ２０５は、ＲＯＭ２０６から読み出した電子機器２００の受電情報を給電装置１００に受電アンテナ２０１を送信するように整合回路２０２及び変復調回路２０４を制御する。
【００５９】
また、別の一例として、Ｓ４０６における選択処理によって、受電アンテナ３０１が選択された場合、ＣＰＵ２０５は、ＲＯＭ３０６に記録されている電池パック３００の受電情報を給電装置１００に送信するようにするための指示を電池パック３００に対して行う。なお、電池パック３００の受電情報を給電装置１００に送信するように制御するための指示を以下「第２の指示」と呼ぶ。
【００６０】
また、別の一例として、Ｓ４０６における選択処理によって、受電アンテナ２０１及び受電アンテナ３０１が選択された場合、ＣＰＵ２０５は、受電アンテナ２０１の受電情報を給電装置１００に送信するように整合回路２０２及び変復調回路２０４を制御する。さらに、ＣＰＵ２０５は、第２の指示を電池パック３００に対して行う。電池パック３００が第２の指示を受け付けた場合、ＣＰＵ３０５は、ＲＯＭ３０６から読み出した電池パック３００の受電情報を給電装置１００に送信するように整合回路２０２及び変復調回路２０４を制御する。
【００６１】
電子機器２００の受電情報及び電池パック３００の受電情報の少なくとも一つが給電装置１００に送信された場合、本フローチャートはＳ４０７からＳ４０８に進む。
Ｓ４０８において、ＣＰＵ２０５は、Ｓ４０６における選択処理において選択された受電アンテナが受信した電力に応じて電池３１１の充電を行う。
【００６２】
例えば、Ｓ４０６における選択処理によって、受電アンテナ２０１が選択された場合において、給電装置１００が電子機器２００に対して充電のための電力を送信するとき、受電アンテナ２０１は、給電装置１００から送信される電力を受信する。ＣＰＵ２０５は、受電アンテナ２０１によって受信された電力が、整合回路２０２、整流平滑回路２０３、レギュレータ２０８、充電制御部２０９及び電池インターフェース２１０を介して電池パック３００に供給されるように各部を制御する。電子機器２００から電力が供給された電池パック３００は、電池インターフェース３１０を介して電子機器２００から電力を受信し、電子機器２００から電池インターフェース３１０によって受信された電力は、充電制御部３０９を介して電池３１１に供給される。さらに、ＣＰＵ２０５は、電池３１１の充電を行うように充電制御部２０９を制御する。このとき、充電制御部２０９は、電池３１１を充電するための電流及び電圧を制御し、電池３１１の残量情報を検出する。なお、この場合、切替部３１２はオフのままである。この場合、受電アンテナ２０１及び整合回路２０２は、給電装置１００から送信される電力を受信するために用いられる。電子機器２００において、受電アンテナ２０１及び整合回路２０２等の給電装置１００から送信される電力を受信するために用いられる手段を以下「第１の受信手段」と呼ぶ。
【００６３】
また、別の一例として、Ｓ４０６における選択処理によって、受電アンテナ３０１が選択された場合、給電装置１００が電池パック３００に対して充電のための電力を送信するとき、受電アンテナ３０１は、給電装置１００から電力を受信する。ＣＰＵ３０５は、受電アンテナ３０１によって受信された電力が、整合回路３０２、整流平滑回路３０３、レギュレータ３０８及び充電制御部３０９を介して電池３１１に供給されるように各部を制御する。ＣＰＵ２０５は、電池３１１の充電を行うための指示を電池パック３００に対して行い、この指示を受け付けたＣＰＵ３０５は、電池３１１の充電を行うように充電制御部３０９を制御する。このとき、充電制御部３０９は、電池３１１を充電するための電流及び電圧を制御し、電池３１１の残量情報を検出する。なお、この場合、切替部２１２はオフのままである。この場合、受電アンテナ３０１及び整合回路３０２は、給電装置１００から送信される電力を受信するために用いられる。電池パック３００において、受電アンテナ３０１及び整合回路３０２等の給電装置１００から送信される電力を受信するために用いられる手段を以下「第２の受信手段」と呼ぶ。
【００６４】
また、Ｓ４０６における選択処理によって、受電アンテナ２０１及び受電アンテナ３０１が選択された場合、給電装置１００が電池パック３００に電力を送信するとき、受電アンテナ２０１及び受電アンテナ３０１は、給電装置１００から電力を受信する。ＣＰＵ２０５は、受電アンテナ２０１によって受信された電力が、電池３１１に供給されるように制御し、ＣＰＵ３０５は、受電アンテナ３０１によって受信された電力が、電池３１１に供給されるように制御する。さらに、ＣＰＵ３０５は、電子機器２００から電池３１１に供給された電力及び電池パック３００が電子機器２００を介すことなく受信した電力に応じて、電池３１１の充電を行うように充電制御部３０９を制御する。この場合、第１の受信手段及び第２の受信手段が、給電装置１００から送信される電力を受信するために用いられる。
【００６５】
電池３１１の充電が開始された場合、本フローチャートはＳ４０８からＳ４０９に進む。なお、実施例１において、Ｓ４０８における充電制御部２０９は、定電圧定電流方式により電池３１１の充電を行うものとする。
【００６６】
Ｓ４０９において、Ｓ４０２と同様にＣＰＵ２０５は、電池３１１が満充電であるか否かを判定する。ＣＰＵ２０５によって、電池３１１が満充電であると判定された場合（Ｓ４０９でＹｅｓ）、ＣＰＵ２０５は、電池３１１の充電を停止させるように制御する。充電制御部２０９が電池３１１の充電を制御している場合、ＣＰＵ２０５は、電池３１１の充電を停止させるように充電制御部２０９を制御する。充電制御部３０９が電池３１１の充電を制御している場合、ＣＰＵ２０５は、電池３１１の充電を停止させるための指示を電池パック３００に対して行い、この指示を受け付けたＣＰＵ３０５は、電池３１１の充電を停止させるように充電制御部３０９を制御する。この場合（Ｓ４０９でＹｅｓ）、本フローチャートは、終了する。ＣＰＵ２０５によって、電池３１１が満充電でないと判定された場合（Ｓ４０９でＮｏ）、本フローチャートは、Ｓ４０９からＳ４０８に戻る。
【００６７】
Ｓ４１０において、ＣＰＵ２０５は、切替部２１２をオンにするように制御し、電池インターフェース２１０を介して、切替部３１２をオフにするための指示を電池パック３００に対して行う。この場合、本フローチャートはＳ４１０からＳ４０７に進む。Ｓ４１０の処理が行われた場合、Ｓ４０７において、ＣＰＵ２０５は、ＲＯＭ２０６から読み出した電子機器２００の受電情報を給電装置１００に受電アンテナ２０１を送信するように整合回路２０２及び変復調回路２０４を制御する。
【００６８】
なお、図４の充電処理が行われている場合に、電池パック３００が電子機器２００から取り外された場合、ＣＰＵ２０５は切替部２１２をオフにし、切替部３１２をオンにするように制御した後、図４の充電処理を終了させてもよい。このため、電池パック３００が電子機器２００から取り外された場合でも、電池パック３００と給電装置１００との距離が給電装置１００から電力を受信できる範囲に存在する場合、電池パック３００は給電装置１００から受電アンテナ３０１により電力を受信する。これにより、電池パック３００は電池パック３００が電子機器２００から取り外された場合であっても、電池３１１の充電を中断することなく、受電アンテナ３０１によって給電装置１００から受信した電力に応じて電池３１１の充電を継続して行うことができる。
【００６９】
また、電池パック３００が電子機器２００から取り外されたことをＣＰＵ３０５により検出した場合、ＣＰＵ３０５は、切替部３１２をオンにするように制御してから、受電アンテナ３０１によって受信した電力に応じて電池３１１の充電を行ってもよい。
【００７０】
Ｓ４０４において、ＣＰＵ２０５は、電池パック３００が受電アンテナ３０１を有しているか否かを判定するようにしたが、電池パック３００が第２の受信手段を有しているか否かを判定するようにしてもよい。
なお、Ｓ４０８において、ＣＰＵ２０５は、給電装置１００から充電の開始を指示するためのコマンドを受信してから電池３１１の充電を開始するようにしてもよい。また、Ｓ４０９において、電池３１１が満充電でないと判定した場合であっても、給電装置１００から充電の停止を指示するためのコマンドを受信した場合、電池３１１の充電を停止するようにしてもよい。
【００７１】
（選択処理）
次に、実施例１において、充電処理のＳ４０６で電子機器２００によって行われる選択処理について、図５のフローチャートを用いて説明する。選択処理は、ＣＰＵ２０５がＲＯＭ２０６に記憶されているコンピュータプログラムを実行することにより実現することができる
Ｓ５０１において、ＣＰＵ２０５は、電子機器２００が所定のモードであるか否かを判定する。所定のモードとは、電子機器２００の受電情報と、電池パック３００の受電情報とを検出するためのモードである。なお、電子機器２００は、あらかじめユーザによって、所定のモードになるように設定されているものであってもよく、給電装置１００からの指示に応じて所定のモードになるように制御されているものであってもよい。なお、電子機器２００の向きや給電装置１００に対する置かれ方に応じて、ＣＰＵ２０５によって、電子機器２００が所定のモードになるように制御されるものであってもよい。
【００７２】
ＣＰＵ２０５によって、電子機器２００が所定のモードでないと判定された場合（Ｓ５０１でＮｏ）、本フローチャートはＳ５０１からＳ５０７に進む。ＣＰＵ２０５によって、電子機器２００が所定のモードであると判定された場合（Ｓ５０１でＹｅｓ）、本フローチャートはＳ５０１からＳ５０２に進む。
【００７３】
Ｓ５０２において、ＣＰＵ２０５は、電子機器２００の受電情報と、電池パック３００の受電情報とを検出するための検出処理を行う。ＣＰＵ２０５は、検出処理を行うことによって、電子機器２００の受電情報と、電池パック３００の受電情報とを検出することができる。ＣＰＵ２０５によって、検出処理が行われた場合、本フローチャートはＳ５０２からＳ５０３に進む。なお、検出処理については、後述する。
【００７４】
Ｓ５０３において、ＣＰＵ２０５は、電子機器２００の受電情報に含まれる電池３１１に流す電流の最大の閾値と、電池パック３００の受電情報に含まれる電池パック３００が充電のために電池３１１に流す電流の最大の閾値との和が、所定値以下か否かを判定する。
【００７５】
なお、電子機器２００の受電情報に含まれる電池３１１に流す電流の最大の閾値と、電池パック３００の受電情報に含まれる電池パック３００が充電のために電池３１１に流す電流の最大の閾値との和を以下「第１の値」と呼ぶ。なお、ＣＰＵ２０５は、電子機器２００の受電情報及び電池パック３００の受電情報に応じて、第１の値を算出する。さらに、Ｓ５０３において、ＣＰＵ２０５は、Ｓ５０３における所定値をＲＡＭ２０７に記録されている電池３１１の充電情報に含まれている許容電流値に設定する。
【００７６】
Ｓ５０２の検出処理が行われた場合、ＣＰＵ２０５は、Ｓ５０２の検出処理によって検出した電子機器２００の受電情報及び電池パック３００の受電情報を用いて、第１の値を算出する。Ｓ５０２の検出処理が行われていない場合（Ｓ５０１でＮｏ）、ＣＰＵ２０５は、あらかじめＲＯＭ２０６に記録されている電子機器２００の受電情報及び電池パック３００から取得した電池パック３００の受電情報に応じて、第１の値を算出する。ＣＰＵ２０５によって、第１の値が、所定値以下であると判定された場合（Ｓ５０３でＹｅｓ）、本フローチャートは、Ｓ５０３からＳ５０８に進む。ＣＰＵ２０５によって、第１の値が、所定値以下でないと判定された場合（Ｓ５０３でＮｏ）、本フローチャートは、Ｓ５０３からＳ５０４に進む。なお、Ｓ５０３において行われる判定を「第２の判定」と呼ぶ。
【００７７】
Ｓ５０４において、ＣＰＵ２０５は、電子機器２００が受け付ける電力は、電池パック３００が受け付ける電力よりも大きいか否かを判定する。ＣＰＵ２０５は電子機器の受電情報（第１の情報）及び電池パック３００の受電情報（第２の情報）に応じて、電子機器２００が受け付ける電力は、電池パック３００が受け付ける電力よりも大きいか否かを判定する。ＣＰＵ２０５によって、受電アンテナ２０１が受け付けられる最大の電力が、受電アンテナ３０１が受け付けられる最大の電力よりも大きいと判定された場合、電子機器２００が受け付ける電力は、電池パック３００が受け付ける電力よりも大きくなる。この場合（Ｓ５０４でＹｅｓ）、本フローチャートはＳ５０４からＳ５０９に進む。ＣＰＵ２０５によって、受電アンテナ２０１が受け付けられる最大の電力が、受電アンテナ３０１が受け付けられる最大の電力よりも大きくないと判定された場合、電子機器２００が受け付ける電力は、電池パック３００が受け付ける電力以下となる。この場合（Ｓ５０４でＮｏ）、本フローチャートはＳ５０４からＳ５０５に進む。
【００７８】
Ｓ５０２の検出処理が行われた場合、ＣＰＵ２０５は、Ｓ５０２の検出処理によって検出された電子機器の受電情報及び電池パック３００の受電情報を用いて、Ｓ５０４の処理の判定を行う。Ｓ５０２の検出処理が行われていない場合（Ｓ５０１でＮｏ）、ＣＰＵ２０５は、あらかじめＲＯＭ２０６に記録されている電子機器２００の受電情報及び電池パック３００から取得した電池パック３００の受電情報に応じて、Ｓ５０４の処理の判定を行う。
【００７９】
Ｓ５０５において、ＣＰＵ２０５は、切替部２１２をオフにするように制御し、切替部３１２をオンにするための指示を行う電池パック３００に対して行う。切替部３１２をオンにするための指示を以下「第３の指示」と呼ぶ。第３の指示を電池パック３００が受け付けた場合、ＣＰＵ３０５は、切替部３１２をオンにするように制御する。この場合、本フローチャートはＳ５０５からＳ５０６に進む。
【００８０】
Ｓ５０６において、ＣＰＵ２０５は、電池３１１の充電の制御を電池パック３００に行わせるための指示を電池パック３００に対して行い、充電制御部２０９の動作を停止させるように制御する。電池３１１の充電の制御を電池パック３００に行わせるための指示を以下「充電制御指示」と呼ぶ。充電制御指示を電池パック３００が受け付けた場合、ＣＰＵ３０５は、電池３１１の残量及び電池３１１に供給される電流及び電圧の検出を行うように充電制御部３０９を制御する。さらに、ＣＰＵ３０５は、充電制御部３０９で検出された情報が電池インターフェース３１０を介してＣＰＵ２０５に供給されるように制御する。この場合、本フローチャートは終了する。
【００８１】
Ｓ５０７において、ＣＰＵ２０５は、ＲＯＭ２０６に記録されている電子機器２００の受電情報及びＲＡＭ２０７に記録され、かつ、電池パック３００から取得した電池パック３００の受電情報を読み出す。この場合、本フローチャートはＳ５０７からＳ５０３に進む。
【００８２】
Ｓ５０８において、ＣＰＵ２０５は、切替部２１２をオンにするように制御し、第３の指示を電池パック３００に対して行う。第３の指示を電池パック３００が受け付けた場合、ＣＰＵ３０５は、切替部３１２をオンにするように制御する。この場合、本フローチャートはＳ５０８からＳ５０６に進む。
【００８３】
Ｓ５０９において、ＣＰＵ２０５は、切替部２１２をオンにするように制御し、切替部３１２をオフにするための指示を行う電池パック３００に対して行う。切替部３１２をオフにするための指示を以下「第４の指示」と呼ぶ。第４の指示を電池パック３００が受け付けた場合、ＣＰＵ３０５は、切替部３１２をオフにするように制御する。この場合、本フローチャートは終了する。
Ｓ５０３において、ＣＰＵ２０５は、第１の値が、所定値以下であるか否かを判定するようにしたが、上述した方法に限られることないものとする。
【００８４】
例えば、電子機器２００の受電情報に含まれる電池３１１に供給する電圧の最大の閾値と、電子パック３００の受電情報に含まれる電池３１１に供給する電圧の最大の閾値との和を第１の値としてもよい。この場合、ＣＰＵ２０５は所定値を電池３１１の充電情報に含まれる許容電圧値に設定するものとする。このように、第１の値が、所定値以下であるか否かを判定した場合、電子機器２００は、電池３１１に過電圧が供給されないように充電を行うことができるようになる。
【００８５】
また、例えば、ＣＰＵ２０５は、電子機器２００の受電情報から算出された電池３１１に供給する電力の最大の閾値と、電池パック３００の受電情報から算出された電池３１１に供給する電力の最大の閾値との和を第１の値としてもよい。この場合、ＣＰＵ２０５は所定値を電池３１１の充電情報に含まれる許容電圧値と、電池３１１の充電情報に含まれる許容電流値との積に設定するものとする。このように、第１の値が、所定値以下であるか否かを判定した場合、電子機器２００は、電池３１１に過剰な電力が供給されないように充電を行うことができるようになる。
【００８６】
Ｓ５０４において、ＣＰＵ２０５は、電子機器２００が受け付ける電力は、電池パック３００が受け付ける電力よりも大きいか否かを判定するようにしたが、上述した方法に限られないものとする。例えば、受電アンテナ２０１の面積と、受電アンテナ３０１の面積を比較することにより、電子機器２００が受け付ける電力が、電池パック３００が受け付ける電力よりも大きいか否かを判定するようにしてもよい。なお、受電アンテナ２０１の面積が、受電アンテナ３０１の面積よりも大きい場合、ＣＰＵ２０５によって、電子機器２００が受け付ける電力は、電池パック３００が受け付ける電力よりも大きいと判定される（Ｓ５０４でＹｅｓ）。また、受電アンテナ２０１の面積が、受電アンテナ３０１の面積よりも大きくない場合、ＣＰＵ２０５によって、電子機器２００が受け付ける電力は、電池パック３００が受け付ける電力以下であると判定される（Ｓ５０４でＮｏ）。なお、この場合、ＣＰＵ２０５は、あらかじめＲＯＭ２０６に記録されている受電アンテナ２０１の面積を示す情報と、あらかじめＲＯＭ３０６に記録されている受電アンテナ３０１の面積を示す情報とを用いる。
【００８７】
また、例えば、電子機器２００の受電情報に含まれる効率情報と、電池パック３００の受電情報に含まれる効率情報を比較することにより電子機器２００が受け付ける電力は、電池パック３００が受け付ける電力よりも大きいか否かを判定するようにしてもよい。なお、受電アンテナ２０１が受信する電力の効率が、受電アンテナ３０１が受信する電力の効率よりも大きい場合、ＣＰＵ２０５によって、電子機器２００が受け付ける電力は、電池パック３００が受け付ける電力よりも大きいと判定される（Ｓ５０４でＹｅｓ）。また、受電アンテナ２０１が受信する電力の効率が、受電アンテナ３０１が受信する電力の効率よりも大きくない場合、ＣＰＵ２０５によって、電子機器２００が受け付ける電力は、電池パック３００が受け付ける電力以下であると判定される（Ｓ５０４でＮｏ）。なお、この場合、ＣＰＵ２０５は、Ｓ５０２の検出処理により検出した電子機器２００の受電情報及び電池パック３００の受電情報を用いて、電子機器２００の受電情報に含まれる効率情報と、電池パック３００の受電情報に含まれる効率情報を比較してもよい。また、あらかじめＲＯＭ２０６に記録されている電子機器２００の受電情報に含まれる効率情報と、あらかじめＲＯＭ３０６に記録されている電池パック３００の受電情報に含まれる効率情報とを用いてもよい。
【００８８】
（検出処理）
次に、実施例１において、充電処理のＳ５０２で電子機器２００によって行われる検出処理について、図６のフローチャートを用いて説明する。検出処理は、ＣＰＵ２０５がＲＯＭ２０６に記憶されているコンピュータプログラムを実行することにより実現することができる。なお、検出処理が行われる場合、給電装置１００から通信を行うための所定の電力が電子機器２００に対して供給されているものとする。
【００８９】
Ｓ６０１において、ＣＰＵ２０５は、第１のコマンドを給電装置１００に受電アンテナ２０１を介して送信するように整合回路２０２及び変復調回路２０４を制御する。第１のコマンドは、電子機器２００の受電情報及び電池パック３００の受電情報を検出するために必要な電力を給電装置１００に要求するためのコマンドである。第１のコマンドが給電装置１００に送信された場合、本フローチャートは、Ｓ６０１からＳ６０２に進む。
【００９０】
第１のコマンドを給電装置１００が受信した場合、給電装置１００は電力及び電子機器２００及び電池パック３００に送信する電力の値を示す電力情報を電子機器２００及び電池パック３００に送信する。電子機器２００は、給電装置１００から送信される電力を受電アンテナ２０１を介して受信し、受電アンテナ２０１が受信した電力は、整合回路２０２、整流平滑回路２０３、レギュレータ２０８を介して充電制御部２０９に供給される。また、電子機器２００は、給電装置１００から送信される電力情報を受電アンテナ２０１を介して受信し、受電アンテナ２０１が受信した電力情報は、整合回路２０２及び変復調回路２０４を介してＣＰＵ２０５に供給される。
【００９１】
Ｓ６０２において、ＣＰＵ２０５は、切替部２１２をオンにするように制御する。この場合、本フローチャートはＳ６０２からＳ６０３に進む。すでに切替部２１２がオンである場合は、Ｓ６０２の処理を省略してもよい。また、切替部３１２がオンである場合、ＣＰＵ２０５は、切替部３１２をオフにするようにするための指示を電池パック３００に対して行う。
【００９２】
Ｓ６０３において、ＣＰＵ２０５は、受電アンテナ２０１から充電制御部２０９に供給された電力を計測するように充電制御部２０９を制御する。ＣＰＵ２０５は、充電制御部２０９によって計測された電力の値を示す情報をＲＡＭ２０７に記録する。充電制御部２０９で電力の計測が行われた場合、本フローチャートは、Ｓ６０３からＳ６０４に進む。
【００９３】
Ｓ６０４において、ＣＰＵ２０５は、Ｓ６０３において計測された電力の値を示す情報に応じて、電子機器２００の受電情報を検出する。
【００９４】
ＣＰＵ２０５は、Ｓ６０３で計測された電力の値に応じて、電池３１１に流す電流の最大の閾値及び電池３１１に供給する電圧の最大の閾値を検出する。さらに、ＣＰＵ２０５は、給電装置１００から電力情報を取得した場合、電力情報と、Ｓ６０３で計測された電力の値とに応じて、受電アンテナ２０１の効率情報を検出する。ＣＰＵ２０５は、これらの情報を電子機器２００の受電情報として、ＲＡＭ２０７に記録する。電子機器２００の受電情報が検出された場合、本フローチャートはＳ６０４からＳ６０５に進む。
【００９５】
なお、給電装置１００から電力情報を電子機器２００が受信していない場合、ＣＰＵ２０５は、給電装置１００に電力情報を要求するコマンドを給電装置１００に受電アンテナ２０１を介して送信するように整合回路２０２及び変復調回路２０４を制御してもよい。
【００９６】
Ｓ６０５において、ＣＰＵ２０５は、切替部２１２をオフにするように制御し、第３の指示を電池パック３００に対して行う。第３の指示を電池パック３００が受け付けた場合、ＣＰＵ３０５は、切替部３１２をオンにするように制御する。この場合、本フローチャートはＳ６０５からＳ６０６に進む。
【００９７】
Ｓ６０６において、ＣＰＵ２０５は、受電アンテナ３０１から充電制御部３０９に供給された電力を計測するように制御し、かつ、充電制御部３０９で計測された電力の値を示す情報をＣＰＵ２０５に供給するための指示を電池パック３００に対して行う。受電アンテナ３０１から充電制御部３０９に供給された電力を計測するように制御し、かつ、充電制御部３０９で計測された電力の値を示す情報をＣＰＵ２０５に供給するための指示を以下「第５の指示」と呼ぶ。第５の指示を電池パック３００が受けた場合、ＣＰＵ３０５は、受電アンテナ３０１から充電制御部３０９に供給された電力を計測するように充電制御部２０９を制御する。さらに、ＣＰＵ３０５は、充電制御部２０９によって計測された電力の値を示す情報をＲＡＭ３０７に記録するとともに、ＣＰＵ２０５に供給するように制御する。充電制御部２０９によって計測された電力の値を示す情報がＣＰＵ２０５に供給された場合、ＣＰＵ２０５はＲＡＭ２０７にこれを記録し、本フローチャートは、Ｓ６０６からＳ６０７に進む。
【００９８】
Ｓ６０７において、ＣＰＵ２０５は、Ｓ６０６において充電制御部２０９により計測された電力の値を示す情報に応じて、電池パック３００の受電情報を検出する。ＣＰＵ２０５は、Ｓ６０６で充電制御部２０９により計測された電力の値に応じて、電池３１１に流す電流の最大の閾値及び電池３１１に供給する電圧の最大の閾値を検出する。さらに、ＣＰＵ２０５は、給電装置１００から電力情報を取得した場合、電力情報と、Ｓ６０６で計測された電力の値とに応じて、受電アンテナ３０１の効率情報を検出する。ＣＰＵ２０５は、これらの情報を電池パック３００の受電情報として、ＲＡＭ２０７に記録する。電池パック３００の受電情報が検出された場合、本フローチャートはＳ６０７からＳ６０８に進む。
【００９９】
Ｓ６０８において、ＣＰＵ２０５は、切替部２１２をオフにするように制御し、第４の指示を行う電池パック３００に対して行う。第４の指示を電池パック３００が受け付けた場合、ＣＰＵ３０５は、切替部３１２をオフにするように制御する。第４の指示を電池パック３００が受け付けた場合、ＣＰＵ３０５は、切替部３１２をオフにするように制御する。この場合、本フローチャートはＳ６０８からＳ６０９に進む。
【０１００】
Ｓ６０９において、ＣＰＵ２０５は、第２のコマンドを給電装置１００に受電アンテナ２０１を介して送信するように整合回路２０２及び変復調回路２０４を制御する。第２のコマンドは、電子機器２００の受電情報及び電池パック３００の受電情報の検出が終了したことを通知するためのコマンドである。第２のコマンドが給電装置１００に送信された場合、本フローチャートは、Ｓ６０９からＳ６１０に進む。
【０１０１】
（給電処理）
次に、実施例１において、給電装置１００によって行われる給電処理について、図７のフローチャートを用いて説明する。給電処理は、ＣＰＵ１０５がＲＯＭ１０６に記憶されているコンピュータプログラムを実行することにより実現することができる。図７に示す給電処理は、給電装置１００が給電を行うモードになった場合に給電装置１００で行われる処理である。なお、給電処理がＣＰＵ１０５によって行われる場合、給電装置１００が電子機器２００や電池パック３００と通信を行うための所定の電力は、電子機器２００及び電池パック３００に給電装置１００から常に供給されているものとする。
【０１０２】
Ｓ７０１において、ＣＰＵ１０５は、整合回路１０３によって検出される送電アンテナ１０８に流れる電流の変化によって、電子機器２００が給電装置１００からの電力を受信できる範囲内に存在するか否かを検出する。ＣＰＵ１０５によって、電子機器２００が給電装置１００からの電力を受信できる範囲内に存在しないと判定された場合（Ｓ７０１でＮｏ）、本フローチャートはＳ７０１からＳ７０１に戻る。ＣＰＵ１０５によって、電子機器２００が給電装置１００からの電力を受信できる範囲内に存在すると判定された場合（Ｓ７０１でＹｅｓ）、本フローチャートはＳ７０１からＳ７０２に進む。
【０１０３】
Ｓ７０２において、ＣＰＵ１０５は、電子機器２００から電子機器２００の識別情報を変復調回路１０４が受信したか否かを判定する。
Ｓ７０２において、ＣＰＵ１０５は、電子機器２００の識別情報を変復調回路１０４が受信したと判定した場合（Ｓ７０２でＹｅｓ）、ＣＰＵ１０５は、変復調回路１０４から電子機器２００の識別情報を取得し、これをＲＡＭ１０７に記録する。なお、電子機器２００の識別情報及び電池パック３００の識別情報を電子機器２００から受信した場合、ＣＰＵ１０５はＲＡＭ１０７に別々にこの情報を記録する。この場合（Ｓ７０２でＹｅｓ）、本フローチャートは、Ｓ７０２からＳ７０３に進む。電子機器２００からの識別情報を変復調回路１０４が受信していないと判定した場合（Ｓ７０２でＮｏ）、本フローチャートは、終了する。
【０１０４】
Ｓ７０３において、ＣＰＵ１０５は、電子機器２００から第１のコマンドを変復調回路１０４が受信したか否かを判定する。ＣＰＵ１０５によって、電子機器２００から送信された第１のコマンドを変復調回路１０４が受信していないと判定された場合（Ｓ７０３でＮｏ）、本フローチャートはＳ７０３からＳ７０６に進む。ＣＰＵ１０５によって、電子機器２００から送信された第１のコマンドを変復調回路１０４が受信したと判定された場合（Ｓ７０３でＹｅｓ）、本フローチャートはＳ７０３からＳ７０４に進む。
【０１０５】
Ｓ７０４において、ＣＰＵ１０５は、第１のコマンドに応じて、電子機器２００の受電情報及び電池パック３００の受電情報を検出するための第１の電力及び電力情報を給電アンテナ１０８を介して電子機器２００及び電池パック３００に送信する。なお、Ｓ７０４における電力情報とは、第１の電力の値を示すための情報である。
【０１０６】
この場合、ＣＰＵ１０５は、第１の電力を給電アンテナ１０８を介して電子機器２００及び電池パック３００に送信するように電力送信回路１０２及び整合回路１０３を制御する。この場合、本フローチャートはＳ７０４から７０５に進む。なお、第１の電力は、電子機器２００や電池パック３００とコマンドによる通信を行うための所定の電力よりも大きい電力である。
【０１０７】
Ｓ７０５において、ＣＰＵ１０５は、電子機器２００から第２のコマンドを変復調回路１０４が受信したか否かを判定する。ＣＰＵ１０５によって、電子機器２００から送信された第２のコマンドを変復調回路１０４が受信していないと判定された場合（Ｓ７０５でＮｏ）、本フローチャートはＳ７０５からＳ７０４に戻る。この場合、ＣＰＵ１０５は、継続して第１の電力を電子機器２００及び電池パック３００に送信する。
【０１０８】
ＣＰＵ１０５によって、電子機器２００から送信された第２のコマンドを変復調回路１０４が受信したと判定された場合（Ｓ７０５でＹｅｓ）、本フローチャートはＳ７０５からＳ７０６に進む。この場合、ＣＰＵ１０５は、第１の電力の送信を停止するように電力送信回路１０２及び整合回路１０３を制御する。第１の電力の送信が停止された場合、ＣＰＵ１０５は、通信を行うための所定の電力を電子機器２００及び電池パック３００に送信するように制御する。
【０１０９】
Ｓ７０６において、ＣＰＵ１０５は、電子機器２００の受電情報及び電池パック３００の受電情報の少なくとも一つを変復調回路１０４が受信したか否かを判定する。ＣＰＵ１０５によって、電子機器２００の受電情報及び電池パック３００の受電情報を変復調回路１０４が受信していないと判定された場合（Ｓ７０６でＮｏ）、本フローチャートは終了する。ＣＰＵ１０５によって、電子機器２００の受電情報及び電池パック３００の受電情報の少なくとも一つを変復調回路１０４が受信したと判定された場合（Ｓ７０６でＹｅｓ）、ＣＰＵ１０５は、変復調回路１０４が受信した受電情報を取得し、ＲＡＭ１０７に記録する。この場合（Ｓ７０６でＹｅｓ）、本フローチャートは、Ｓ７０６からＳ７０７に進む。なお、電子機器２００の受電情報及び電池パック３００の受電情報を変復調回路１０４が受信した場合、ＣＰＵ１０５はＲＡＭ１０７に別々にこの情報を記録する。なお、Ｓ７０６の処理の判定を行う前に、ＣＰＵ１０５は、電子機器２００に電子機器２００の受電情報を要求するためのコマンドを送信するようにしてもよい。また、Ｓ７０６の処理の判定を行う前に、ＣＰＵ１０５は、給電装置１００が電池パック３００に電池パック３００の受電情報を要求するためのコマンドを送信するようにしてもよい。
【０１１０】
Ｓ７０７において、ＣＰＵ１０５は、Ｓ７０６で受信した電子機器２００の受電情報及び電池パック３００の受電情報の少なくとも一つに応じて、第２の電力を電子機器２００及び電池パック３００に送信するよう電力送信回路１０２及び整合回路１０３を制御する。第２の電力は、電池３１１の充電を行うための電力であって、電子機器２００や電池パック３００と通信を行うための所定の電力よりも大きい電力であり、かつ、第１の電力以上の電力である。
【０１１１】
また、Ｓ７０７において、電子機器２００の受電情報を取得している場合、ＣＰＵ１０５は、第２の電力が受電アンテナ２０１が受け付けることができる最大の電力以下の電力となるように電力送信回路１０２及び整合回路１０３を制御する。電池パック３００の受電情報を取得している場合、ＣＰＵ１０５は、第２の電力が受電アンテナ３０１が受け付けることができる最大の電力以下の電力となるように電力送信回路１０２及び整合回路１０３を制御する。また、電子機器２００の受電情報及び電池パック３００の受電情報を取得している場合、ＣＰＵ１０５は、電子機器２００の受電情報及び電池パック３００の受電情報に応じて第２の電力を制御する。この場合、ＣＰＵ１０５は、第２の電力が、受電アンテナ２０１が受け付けることができる最大の電力以下で、かつ、受電アンテナ３０１が受け付けることができる最大の電力以下になるように電力送信回路１０２及び整合回路１０３を制御する。この場合、本フローチャートはＳ７０７から７０８に進む。
【０１１２】
Ｓ７０８において、ＣＰＵ１０５は、給電を停止するための操作が給電装置１００に対して行われたか否かに応じて、給電を終了させるか否かを判定する。
給電を停止するための操作が給電装置１００に対して行われた場合、ＣＰＵ１０５は、給電を終了させると判定する（Ｓ７０８でＹｅｓ）。この場合、ＣＰＵ１０５は、電子機器２００及び電池パック３００に送信する電力が、電子機器２００及び電池パック３００と通信を行うことができる所定の電力になるように電力送信回路１０２及び整合回路１０３を制御する。この場合（Ｓ７０８でＹｅｓ）、本フローチャートは終了する。
【０１１３】
給電を停止するための操作が給電装置１００に対して行われていない場合、ＣＰＵ１０５は、給電を終了させないと判定する（Ｓ７０８でＮｏ）。この場合（Ｓ７０８でＮｏ）、本フローチャートはＳ７０８からＳ７０７に戻る。この場合、ＣＰＵ１０５は、継続して第２の電力を電子機器２００及び電池パック３００に送信する。
【０１１４】
なお、Ｓ７０１において、ＣＰＵ１０５は、送電アンテナ１０８に流れる電流が変化したことにより、電子機器２００が給電装置１００からの電力を受電できる範囲に存在することを検出したが、送電アンテナ１０８の電圧の変化によって検出するものでもよい。また、ＣＰＵ１０５は、電子機器２００が給電装置１００からの電力を受電できる範囲に存在することをＳＷＲ（Ｓｔａｎｄｉｎｇ  Ｗａｖｅ  Ｒａｔｉｏ：定在波比）の変化によって検出してもよい。また、ＣＰＵ１０５は、電子機器２００の存在を確認するためのコマンドを定期的にすることによって、電子機器２００が給電装置１００からの電力を受電できる範囲に存在することを検出するようにしてもよい。
【０１１５】
なお、Ｓ７０３において、ＣＰＵ１０５によって、電子機器２００から第１のコマンドを受信したと判定された場合（Ｓ７０３でＹｅｓ）、Ｓ７０４において、ＣＰＵ１０５は、第１の電力を電子機器２００及び電池パック３００に送信するようにした。しかし、Ｓ７０３において、ＣＰＵ１０５によって、電子機器２００から第１のコマンドを受信したと判定された場合（Ｓ７０３でＹｅｓ）に、ＣＰＵ１０５は、さらに電池３１１が満充電であるか否かを確認してもよい。この場合、電子機器２００から第１のコマンドを受信した場合であり、かつ、電池３１１が満充電でない場合、ＣＰＵ１０５は、Ｓ７０４において、第１の電力を電子機器２００及び電池パック３００に送信するようにしてもよい。また、電子機器２００から第１のコマンドを受信した場合であり、電池３１１が満充電である場合、ＣＰＵ１０５は、Ｓ７０４において、第１の電力を電子機器２００及び電池パック３００に送信しないようにし、図７の給電処理を終了させるようにする。この場合、ＣＰＵ１０５は、第１の電力及び第２の電力は、電子機器２００及び電池パック３００に送信されないようにする。  なお、Ｓ７０７において、給電装置１００が電子機器２００及び電池パック３００に第２の電力を送信する場合、電子機器２００及び電池パック３００に対して並行して電力が供給されるようにしてもよい。また、給電装置１００が電子機器２００及び電池パック３００に第２の電力を送信する場合、電子機器２００と電池パック３００とに対して時分割によって電力が供給されるようにしてもよい。
【０１１６】
また、給電装置１００が電子機器２００及び電池パック３００に第２の電力を送信する場合、ＣＰＵ２０５によって行われるＳ４０６の処理の結果に応じて電子機器２００及び電池パック３００のいずれか一つに対して電力が供給されるようにしてもよい。例えば、Ｓ４０６の選択処理おいて受電アンテナ２０１が選択されたことを給電装置１００が検出した場合、給電装置１００は、電池パック３００には電力を送信しないようにし、電子機器２００に電力を送信するようにしてもよい。また、Ｓ４０６の選択処理おいて受電アンテナ３０１が選択されたことを給電装置１００が検出した場合、給電装置１００は、電子機器２００には電力を送信しないようにし、電池パック３００に電力を送信するようにしてもよい。また、Ｓ４０６の選択処理において、受電アンテナ２０１及び受電アンテナ３０１が選択されたことを給電装置１００が検出した場合、給電装置１００は、電子機器２００及び電池パック３００に電力を送信するようにしてもよい。
【０１１７】
なお、Ｓ７０８において、給電を停止するための操作が給電装置１００に対して行われたか否かに応じて、給電を終了させるか否かを判定するようにしたが、これに限られないものとする。例えば、ＣＰＵ１０５は、電子機器２００または電池パック３００から給電を停止させるようにするためのコマンドを変復調回路１０４が受信したか否かに応じて、給電を終了させるか否かを判定するようにしてもよい。また、例えば、ＣＰＵ１０５は、電池３１１が満充電になったことを通知するためのコマンドを変復調回路１０４が受信したか否かに応じて、給電を終了させるか否かを判定するようにしてもよい。
【０１１８】
このように、実施例１に係る充電システムにおいて、電子機器２００は、受電アンテナ３０１を有する電池パック３００が装着される場合であっても、電池３１１に過電流が流れないように充電が行えるようになった。
【０１１９】
このため、受電アンテナ２０１及び受電アンテナ３０１を用いて受信した電力により電池３１１に流れる電流が所定の許容値以下である場合、受電アンテナ２０１及び受電アンテナ３０１を用いて受信した電力により電池３１１の充電を行うようにした。これにより、実施例１に係る充電システムにおいて、電池３１１に過電流が流れないように充電を行うとともに、受電アンテナ２０１及び受電アンテナ３０１を用いて効率よく電池３１１の充電を行えるようになった。
【０１２０】
また、受電アンテナ２０１及び受電アンテナ３０１を用いて受信した電力により電池３１１に流れる電流が所定値よりも大きい場合、受電アンテナ２０１及び受電アンテナ３０１のうち、受電能力の高いアンテナを用いて電池３１１の充電を行うようにした。これにより、実施例１に係る充電システムにおいて、電池３１１に過電流が流れないように充電を行うとともに、受電能力の高い受電アンテナを用いて効率よく電池３１１の充電を行えるようになった。
【０１２１】
また、第１の値を「電子機器２００の受電情報の電池３１１に供給する電圧の最大の閾値と、電子パック３００の受電情報の電池３１１に供給する電圧の最大の閾値との和」とした場合、電子機器２００は、電池３１１に過電圧が供給されないように充電が行える。
【０１２２】
このため、受電アンテナ２０１及び受電アンテナ３０１を用いて受信した電力により電池３１１に供給される電圧が所定の許容値以下である場合、受電アンテナ２０１及び受電アンテナ３０１を用いて受信した電力により電池３１１の充電を行うようにした。これにより、実施例１に係る充電システムにおいて、電池３１１に過電圧が供給されないように充電を行うとともに、受電アンテナ２０１及び受電アンテナ３０１を用いて効率よく電池３１１の充電を行えるようになった。
【０１２３】
また、受電アンテナ２０１及び受電アンテナ３０１を用いて受信した電力により電池３１１に供給される電圧が所定値よりも大きい場合、受電アンテナ２０１及び受電アンテナ３０１のうち、受電能力の高いアンテナを用いて電池３１１の充電を行うようにした。これにより、実施例１に係る充電システムにおいて、電池３１１に過電圧が供給されないように充電を行うとともに、受電能力の高い受電アンテナを用いて効率よく電池３１１の充電を行えるようになった。
また、第１の値を「電子機器２００の受電情報の電池３１１に供給する電力の最大の閾値と、電子パック３００の受電情報の電池３１１に供給する電力の最大の閾値との和」にした場合、電子機器２００は、電池３１１に過剰な電力が供給されないように充電が行える。
【０１２４】
このため、受電アンテナ２０１及び受電アンテナ３０１を用いて受信した電力により電池３１１に供給される電力が所定の許容値以下である場合、受電アンテナ２０１及び受電アンテナ３０１を用いて受信した電力により電池３１１の充電を行うようにした。これにより、実施例１に係る充電システムにおいて、電池３１１に過剰な電力が供給されないように充電を行うとともに、受電アンテナ２０１及び受電アンテナ３０１を用いて効率よく電池３１１の充電を行えるようになった。
【０１２５】
また、受電アンテナ２０１及び受電アンテナ３０１を用いて受信した電力により電池３１１に供給される電力が所定値よりも大きい場合、受電アンテナ２０１及び受電アンテナ３０１のうち、受電能力の高いアンテナを用いて電池３１１の充電を行うようにした。これにより、実施例１に係る充電システムにおいて、電池３１１に過剰な電力が供給されないように充電を行うとともに、受電能力の高い受電アンテナを用いて効率よく電池３１１の充電を行えるようになった。
【０１２６】
なお、給電装置１００と電子機器２００とは、ＡＳＫ変調以外の通信方式によって、通信を行ってもよい。例えば、給電装置１００と電子機器２００とは、無線ＬＡＮ等によって通信を行ってもよい。この場合、給電装置１００は、電子機器２００と無線ＬＡＮによって通信する不図示の通信部を有し、電子機器２００は、給電装置１００と無線ＬＡＮによって通信する不図示の通信部を有するようにする。このような場合、電子機器２００は、切替部２１２がオフであっても、電子機器２００の不図示の通信部によって給電装置１００から送信されたコマンドを受信することができる。また、電子機器２００は、コマンドを電子機器２００の不図示の通信部を介して給電装置１００に送信することもできる。
【０１２７】
同様に、給電装置１００と電池パック３００とは、ＡＳＫ変調以外の通信方式によって、通信を行ってもよい。例えば、給電装置１００と電池パック３００も、無線ＬＡＮ等によって通信を行ってもよい。また、この場合、給電装置１００は、電池パック３００と無線ＬＡＮによって通信する不図示の通信部を有し、電池パック３００は、給電装置１００と無線ＬＡＮによって通信する不図示の通信部を有するようにする。
【０１２８】
また、実施例１において、電子機器２００に電池パック３００が装着される場合に、電子機器２００によって行われる処理について説明を行った。しかし、電子機器２００によって行われる処理は、電子機器２００に２つ以上の電池パックが装着される場合であっても適用できるものとする。
【０１２９】
（他の実施例）
本発明に係る給電装置１００は、実施例１で説明した給電装置１００に限定されるものではない。また、本発明に係る電子機器２００も実施例１で説明した電子機器２００に限定されるものではなく、本発明に係る電池パック３００も実施例１で説明した電池パック３００に限定されるものではない。例えば、本発明に係る給電装置１００、電子機器２００及び電池パック３００は、複数の装置から構成されるシステムにより実現することも可能である。
【０１３０】
また、実施例１において説明した様々な処理及び機能は、コンピュータプログラムにより実現することも可能である。この場合、本発明に係るコンピュータプログラムは、コンピュータ（ＣＰＵ等を含む）で実行可能であり、実施例１で説明した様々な機能を実現することになる。
【０１３１】
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
【０１３２】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【０１３３】
１００  給電装置
２００  電子機器
３００  電池パック
【図１】
0005804694.tif 000002
【図２】
0005804694.tif 000003
【図３】
0005804694.tif 000004
【図４】
0005804694.tif 000005
【図５】
0005804694.tif 000006
【図６】
0005804694.tif 000007
【図７】
0005804694.tif 000008